(57)【特許請求の範囲】
【請求項１】
トリミングテーブルに設置されるペットのリードを係止する固定棒を可動にするためのトリミングテーブルの固定棒用可動装置であって、前記トリミングテーブルの天板裏に固定される回転本体部と、前記回転本体部から前記トリミングテーブルの端部方向に延びる可動アームと、前記可動アームの回転をサポートするとともに揺れを防止する回転サポート部とを備え、前記可動アームの先端部に前記固定棒を挿入して任意の位置に固定できる挿入固定部が形成され、前記可動アームの可動範囲が所定の角度に設定されており、前記固定棒が前記可動アームの前記挿入固定部に固定された状態において前記トリミングテーブルの端部外周を前記可動範囲内で回動自在に設置されていることを特徴とするトリミングテーブルの固定棒用可動装置。
【請求項２】
前記可動アームの可動範囲が１４０〜１８０度に設定されており、前記回転サポート部に設けられたアーム固定具により前記可動アームが任意の位置に固定されることを特徴とする請求項１に記載のトリミングテーブルの固定棒用可動装置。
【請求項３】
トリミングテーブルに設置されるペットのリードを係止する固定棒を可動にするためのトリミングテーブルの固定棒用可動装置であって、前記トリミングテーブルは円形天板及びその天板裏の中心部に取り付けられた１本の脚部支柱から構成され、前記脚部支柱に回動自在に取り付けられる回転中心部と、前記回転中心部から前記トリミングテーブルの端部方向に延びる可動アームとを備え、前記可動アームの先端部に前記固定棒を挿入して任意の位置に固定できる挿入固定部が形成され、前記可動アームの可動範囲が３６０度に設定されており、前記固定棒が前記可動アームの前記挿入固定部に固定された状態において前記トリミングテーブルの端部外周を前記可動範囲内で回動自在に設置されていることを特徴とするトリミングテーブルの固定棒用可動装置。
【請求項４】
前記トリミングテーブルの天板裏に前記可動アームの回転をサポートするとともに揺れを防止する回転サポート部を備え、前記回転サポート部に設けられたアーム固定具により前記可動アームが任意の位置に固定されることを特徴とする請求項３に記載のトリミングテーブルの固定棒用可動装置
【請求項５】
前記固定棒が前記可動アームの前記挿入固定部に固定された状態において前記固定棒の前記挿入固定部の上方位置に落下防止手段が設けられていることを特徴とする請求項１乃至請求項４のいずれか１項に記載のトリミングテーブルの固定棒用可動装置。
【発明の詳細な説明】
【技術分野】
【０００１】
本発明は、トリミングテーブルに設置されるペットのリードを係止する固定棒を可動にするためのトリミングテーブルの固定棒用可動装置に関するものである。
【背景技術】
【０００２】
従来から、犬や猫などのペットのための美容室では、ペットの毛や爪のカット、耳掃除、ブラッシングなどを行うのにトリミングテーブルが用いられている。
【０００３】
トリミングテーブルの一例は、図６に示すように、トリマーが立った姿勢でペットをトリミングする高さに位置決め可能な四角形状の天板１００を有し、この天板１００からペットが落下するのを防止するために、天板１００の縁部にペットのリード１３０を係止する固定棒１２０が万力１１０及び固定具１１１を用いて固定されている。この固定棒１２０は、天板１００から垂直に起立する支柱部１２０ａと、支柱部１２０ａの上端で屈曲して水平方向に延びるリード係止部１２０ｂとを備えた逆Ｌ字状の形状を有している。
【０００４】
また、トリミングテーブルの他例は、図７に示すように、トリマーが立った姿勢でペットをトリミングする高さに位置決め可能な円形状の天板２００を有し、この天板２００からペットが落下するのを防止するために、天板２００の縁部に形成された差し込み孔２１０にペットのリード２３０を係止する固定棒２２０が挿通され固定具２１１を用いて固定されている。この固定棒２２０は、天板２００から垂直に起立する支柱部２２０ａと、支柱部２２０ａの上端で屈曲して水平方向に延びるリード係止部２２０ｂとを備えた逆Ｌ字状の形状を有している。
【０００５】
しかし、上述した従来のトリミングテーブルでは、トリミング中にペットのリード１３０、２３０を係止する固定棒１２０、２２０が天板１００，２００の所定位置に常に固定された状態にあるため、固定棒１２０、２２０の支柱部１２０ａ、２２０ａ及びリード係止部１２０ｂ、２２０ｂがトリマーの視界に入りトリミング作業に支障をきたすことがあり、又ハサミが固定棒１２０、２２０の支柱部１２０ａ、２２０ａに当たり邪魔になるという問題があった。
【０００６】
なお、本願出願人は、トリミングに関連する技術として、以下に示すような発明を提案し、既に特許権を取得している（特許第５７５１６５２号、登録日：平成２７年５月２９日）。
【０００７】
特開２０１５−２２６４９９号公報（特許文献１）には、ペットのトリミングに必要な部材及び作業場を任意の場所に簡単に設置できる。トリミングボックス内においてトリミングした毛を効率的に集毛するとともに、トリミングした毛が外部に飛散するのを防止することを目的として、小型で簡便に組み立てられ持ち運び可能なボックスからなり、ボックス内にはトリミングに必要な部材が立体的にコンパクトに収納され、トリマーが作業する作業場が折りたたみ可能に形成され、空気循環型のクリーニング装置、エアーカーテン装置、イオン発生装置を備えている「トリミングボックス」が提案されている。
【先行技術文献】
【特許文献】
【０００８】
【特許文献１】特開２０１５−２２６４９９号公報
【発明の概要】
【発明が解決しようとする課題】
【０００９】
本発明は、トリミング中にペットのリードを係止する固定棒を所望の位置に配置することができると共に、トリミング中に固定棒の落下を防止することができるトリミングテーブルの固定棒用可動装置を提供することを目的とする。
【課題を解決するための手段】
【００１０】
上記の課題を解決するために、請求項１に記載の発明は、トリミングテーブルに設置されるペットのリードを係止する固定棒を可動にするためのトリミングテーブルの固定棒用可動装置であって、前記トリミングテーブルの天板裏に固定される回転本体部と、前記回転本体部から前記トリミングテーブルの端部方向に延びる可動アームと、前記可動アームの回転をサポートするとともに揺れを防止する回転サポート部とを備え、前記可動アームの先端部に前記固定棒を挿入して任意の位置に固定できる挿入固定部が形成され、前記可動アームの可動範囲が所定の角度に設定されており、前記固定棒が前記可動アームの前記挿入固定部に固定された状態において前記トリミングテーブルの端部外周を前記可動範囲内で回動自在に設置されていることを特徴とする。
【００１１】
また、請求項２に記載の発明は、請求項１に記載の前記可動アームの可動範囲が１４０〜１８０度に設定されており、前記回転サポート部に設けられたアーム固定具により前記可動アームが任意の位置に固定されることを特徴とする。
【００１２】
また、請求項３に記載の発明は、トリミングテーブルに設置されるペットのリードを係止する固定棒を可動にするためのトリミングテーブルの固定棒用可動装置であって、前記トリミングテーブルは円形天板及びその天板裏の中心部に取り付けられた１本の脚部支柱から構成され、前記脚部支柱に回動自在に取り付けられる回転中心部と、前記回転中心部から前記トリミングテーブルの端部方向に延びる可動アームとを備え、前記可動アームの先端部に前記固定棒を挿入して任意の位置に固定できる挿入固定部が形成され、前記可動アームの可動範囲が３６０度に設定されており、前記固定棒が前記可動アームの前記挿入固定部に固定された状態において前記トリミングテーブルの端部外周を前記可動範囲内で回動自在に設置されていることを特徴とする。
【００１３】
また、請求項４に記載の発明は、請求項３に前記トリミングテーブルの天板裏に前記可動アームの回転をサポートするとともに揺れを防止する回転サポート部を備え、前記回転サポート部に設けられたアーム固定具により前記可動アームが任意の位置に固定されることを特徴とする。
【００１４】
また、請求項５に記載の発明は、請求項１乃至請求項４に記載の前記固定棒が前記可動アームの前記挿入固定部に固定された状態において前記固定棒の前記挿入固定部の上方位置に落下防止手段が設けられていることを特徴とする。
【発明の効果】
【００１５】
以上のように、本発明によれば、トリミングテーブルの固定棒用可動装置に可動アームの回転をサポートするとともに揺れを防止する回転サポート部を備え、可動アームの可動範囲を所定の角度（１４０〜１８０度）に設定することにより、トリミング中にペットのリードを係止する固定棒３０を可動範囲（１４０〜１８０度）内で可動させることができ、可動アームは回転サポート部にサポートされた状態で可動し揺れも防止されるため、固定棒の動きが安定する。
【００１６】
また、円形天板及びその天板裏の中心部に取り付けられた１本の脚部支柱を有するトリミングテーブルの固定棒用可動装置に可動範囲が３６０度の可動アームを備えることにより、トリミング中にペットのリードを係止する固定棒を可動範囲（３６０度）内で可動させることができる。
【００１７】
また、ペットのリードを係止する固定棒の挿入固定部の上方位置に落下防止手段を設けることにより、固定棒の落下を防止でき安全性が向上する。
【図面の簡単な説明】
【００１８】
【図１】トリミングテーブルの固定棒用可動装置の一例を示す側面図である。
【図２】トリミングテーブルの固定棒用可動装置の一例を示す底面図である。
【図３】トリミングテーブルの固定棒用可動装置の他例を示す側面図である。
【図４】トリミングテーブルの固定棒用可動装置の他例を示す底面図である。
【図５】天板の種類と可動アームの可動パターンを示す説明図である。
【図６】従来のトリミングテーブルの一例を示す斜視図である。
【図７】従来のトリミングテーブルの他例を示す斜視図である。
【発明を実施するための形態】
【００１９】
以下、本発明の実施形態の一例について図を参酌しながら説明する。
図１はトリミングテーブルの固定棒用可動装置の一例を示す側面図、図２は  トリミングテーブルの固定棒用可動装置の一例を示す底面図である。
【００２０】
図１及び図２に示すように、本発明にかかるトリミングテーブルの固定棒用可動装置１０は、トリミングテーブル１の天板２の裏面に取り付け板１１ａを介してネジ等により固定される回転本体部１１と、回転本体部１１からトリミングテーブル１の天板２の端部方向に延びる可動アーム１２と、可動アーム１２の回転をサポートするとともに揺れを防止する回転サポート部１３と、から構成される。ペットのリードを係止する固定棒３０は、図１に示すように、天板２から垂直に起立する支柱部３０ａと、支柱部３０ａの上端で屈曲して水平方向に延びるリード係止部３０ｂとを備えた逆Ｌ字状の形状を有している。
【００２１】
可動アーム１２の先端部には、ペットのリードを係止する固定棒３０を挿入した状態で固定具１６を用いて任意の高さに位置決めして固定することができる挿入固定部１５が形成されている。
【００２２】
図２に示すように、回転サポート部１３には円弧状の溝部１３ａが形成され、可動アーム１２の可動範囲が１４０〜１８０度に設定されている。このため、ペットのリードを係止する固定棒３０が可動アーム１２の挿入固定部１５に固定された状態において、トリミングテーブル１の天板２の端部外周を前記可動範囲内で固定棒３０が回動自在に設置される。また、回転サポート部１３にはアーム固定具１４が設けられており、可動アーム１２を任意の位置に固定することができる。
【００２３】
固定棒３０の支柱部３０ａには、図１に示すように、挿入固定部１５の上方位置に落下防止手段３１が設けられている。これにより、トリミング中に固定棒３０の落下を防止することができる。落下防止手段３１は、支柱部３０ａの外周面に嵌着させるリング、ストッパ部材により構成される。
【００２４】
上記の各構成からなるトリミングテーブルの固定棒用可動装置１０を使用する際は、トリミング中にペットのリードを係止する固定棒３０の位置を変更したい場合、可動アーム１２を回転させて固定棒３０を可動範囲（１４０〜１８０度）内で可動させる。この時、可動アーム１２は、回転サポート部１３にサポートされた状態で可動し揺れも防止されるため、固定棒３０の動きが安定する。また、回転サポート部１３のアーム固定具１４を操作して、固定棒３０を所望の位置に簡単に固定できる。さらに、固定棒３０の支柱部３０ａに落下防止手段３１を設けることにより、固定棒３０の落下を防止でき安全性が向上する。
【００２５】
次に、図３はトリミングテーブルの固定棒用可動装置の他例を示す側面図、図４はトリミングテーブルの固定棒用可動装置の他例を示す底面図である。
【００２６】
図３及び図４に示すように、本発明にかかるトリミングテーブルの固定棒用可動装置２０は、トリミングテーブル１の円形状天板２の裏面の中心部に取り付けられた１本の脚部支柱３に、円形状天板２の裏面に取り付け板２１ａを介してネジ等により固定され且つ回動自在に取り付けられる回転中心部２１と、回転中心部２１からトリミングテーブル１の円形状天板２の端部方向に延びる可動アーム２２と、から構成される。ペットのリードを係止する固定棒３０は、図３に示すように、天板２から垂直に起立する支柱部３０ａと、支柱部３０ａの上端で屈曲して水平方向に延びるリード係止部３０ｂとを備えた逆Ｌ字状の形状を有している。
【００２７】
可動アーム２２の先端部には、ペットのリードを係止する固定棒３０を挿入した状態で固定具２４を用いて任意の高さに位置決めして固定することができる挿入固定部２３が形成されている。
【００２８】
図４に示すように、可動アーム２２の可動範囲が３６０度に設定されている。このため、ペットのリードを係止する固定棒３０が可動アーム２２の挿入固定部２３に固定された状態において、トリミングテーブル１の円形状天板２の端部外周を前記可動範囲内で固定棒３０が回動自在に設置される。なお、可動アーム２２の回転をサポートするとともに揺れを防止する回転サポート部（図示省略）を設け、アーム固定具（図示省略）により可動アームを任意の位置に固定する構成を採用してもよい。
【００２９】
固定棒３０の支柱部３０ａには、図３に示すように、挿入固定部２３の上方位置に落下防止手段３１が設けられている。これにより、トリミング中に固定棒３０の落下を防止することができる。落下防止手段３１は、支柱部３０ａの外周面に嵌着させるリング、ストッパ部材により構成される。
【００３０】
上記の各構成からなるトリミングテーブルの固定棒用可動装置２０を使用する際は、トリミング中にペットのリードを係止する固定棒３０の位置を変更したい場合、可動アーム２２を回転させて固定棒３０を可動範囲（３６０度）内で可動させる。また、固定棒３０の支柱部３０ａに落下防止手段３１を設けることにより、固定棒３０の落下を防止でき安全性が向上する。
【００３１】
図５は、天板の種類と可動アームの可動パターンを示す説明図である。
（１）天板の一辺の各隅部に可動範囲（１４０〜１８０度）の可動アームを設置するパターン（図１、図２参照）
（２）天板の円弧状の端部に可動範囲（１４０〜１８０度）の可動アームを設置するパターン（図１、図２参照）
（３）天板の円弧状の両端部に可動範囲（１４０〜１８０度）の可動アームを設置するパターン（図１、図２参照）
（４）円形状の天板に可動範囲（１４０〜１８０度）の可動アームを設置するパターン（図１、図２参照）
（５）円形状の天板に可動範囲（３６０度）の可動アームを設置するパターン（図３、図４参照）
【符号の説明】
【００３２】
１  トリミングテーブル
２  天板
３  脚部支柱
１０  固定棒用可動装置
１１  回転本体部
１１ａ  取り付け板
１２  可動アーム
１３  回転サポート部
１３ａ  溝部
１４  アーム固定具
１５  挿入固定部
１６  固定具
２０  固定棒用可動装置
２１  回転中心部
２１ａ  取り付け板
２２  可動アーム
２３  挿入固定部
２４  固定具
３０  固定棒
３０ａ  支柱部
３０ｂ  リード係止部
３１  落下防止手段
１００  天板
１１０  万力
１１１  固定具
１２０  固定棒
１２０ａ  支柱部
１２０ｂ  リード係止部
１３０  リード
２００  天板
２１０  差し込み孔  
２１１  固定具
２２０  固定棒
２２０ａ  支柱部
２２０ｂ  リード係止部
２３０  リード
【要約】
【課題】トリミング中にペットのリードを係止する固定棒を所望の位置に配置することができるトリミングテーブルの固定棒用可動装置を提供する。
【解決手段】トリミングテーブル１の天板２裏に固定される回転本体部１１と、回転本体部１１からトリミングテーブル１の端部方向に延びる可動アーム１２と、可動アーム１２の回転をサポートするとともに揺れを防止する回転サポート部１３とを備え、可動アーム１２の先端部に固定棒を挿入して任意の位置に固定できる挿入固定部１５が形成され、可動アーム１２の可動範囲が所定の角度に設定され、固定棒がトリミングテーブル１の端部外周を可動範囲内で回動自在に設置される。
【選択図】図２【図１】
0006017078.tif 000002
【図２】
0006017078.tif 000003
【図３】
0006017078.tif 000004
【図４】
0006017078.tif 000005
【図５】
0006017078.tif 000006
【図６】
0006017078.tif 000007
【図７】
0006017078.tif 000008